(57)【要約】      （修正有）【課題】腕を動かすことが容易で患者にとって使用感がよく、確実に抜針の事故を防止することが可能な抜針防止用の腕保護具を提供する。【解決手段】透明または半透明なプラスチック製の弾性シート１２を丸め、その端辺を連結して水滴状断面の筒状とした内側保護カバー１３と、該内側保護カバーよりやや大きい寸法の水滴状断面の筒状とした外側保護カバー１４とを伸縮可能に連結する。各保護カバーのそれぞれには、注射針を挿通可能な多数の小孔１５が所定の間隔で形成し、またロックボタン１６の凸部１７を、前記外側保護カバーを経由して前記内側保護カバーのいずれかの小孔にはめ込むことにより、各保護カバーを所定の長さで位置決めする。さらに、前記各保護カバーの小孔に取り付けたループ状の結束具を介して、前記注射針に連結してチューブを保持できるようにする。【選択図】図３
0003173817.tif 000002
【実用新案登録請求の範囲】
【請求項１】
透明または半透明なプラスチック製の弾性シートを丸め、その端辺を連結して水滴状断面の筒状とした内側保護カバーと、該内側保護カバーよりやや大きい寸法の水滴状断面の筒状とした外側保護カバーとを備え、前記内側保護カバー上に外側保護カバーを挿通して伸縮可能に連結するとともに、
前記内側保護カバーおよび外側保護カバーのそれぞれには、注射針を挿通可能な多数の小孔が所定の間隔で形成してあり、また内側に向けて凸部を形成したロックボタンの該凸部を、前記外側保護カバーの適所の小孔を経由して前記内側保護カバーのいずれかの小孔にはめ込むことにより、前記内側保護カバーと外側保護カバーを所定の長さで位置決めすることができ、
前記内側保護カバーと外側保護カバーの適所の小孔に取り付けたループ状の結束具を介して、前記注射針に連結されたチューブを挿通して保持できるようにしたことを特徴とする抜針防止用の腕保護具。
【請求項２】
前記内側保護カバーと外側保護カバーが、透明または半透明なプラスチック製の弾性シートを丸めてその端辺をＶ字状に連結して水滴状断面としてあり、前記Ｖ字状の部位は弾性シートに布地を縫製することにより連結してあることを特徴とする請求項１記載の抜針防止用の腕保護具。
【請求項３】
前記注射針に連結されたチューブを挿通して保持するために前記内側保護カバーと外側保護カバーの適所の小孔に取り付けたループ状の結束具が、弾性紐の両端に前記小孔にはめ込んで抜け止めする小孔の径よりも長い差渡し棒を取り付けてなることを特徴とする請求項１記載の抜針防止用の腕保護具。
【考案の詳細な説明】
【技術分野】
【０００１】
この考案は、病人への点滴や透析等に際して見られる抜針事故（自然抜去または事故抜去等）を防止するために、注射針を刺す患者の前腕に取り付ける抜針防止用の腕保護具に関する。
【背景技術】
【０００２】
点滴、透析、輸血や献血等、患者の前腕に針を刺して長時間にわたってベッドに仰向姿勢を保つ必要がある場合、何かのはずみで前腕から針が抜けたり、患者が抜いてしまわないように抑制帯を用いて前腕を固定している。
従来の抑制帯としては、実開昭５４−１３３６９２号公報（点滴用腕固定具：特許文献１参照）のように、基本的には前腕に添える本体、肘保持部及び手首保持部、固定カバー、硬質芯材等からなるベースに締結用のベルトを取り付けた構造になっており、一般に利用されている抑制帯もほぼ同様の構造を用いている。
【０００３】
これら従来の抑制帯は、前腕をしっかりと固定することに主眼を置くため、上記ベースは一般に硬質で可撓性のない材質で構成されることが多く、固く固定される前腕が患者に対して身体的及び心理的窮屈感を与えていた。
また、従来の抑制帯はベースが前腕に沿う断面形状をしており、ベルトは前腕に沿って巻き付ける態様が普通である。このため、例えば針が弛んで液漏れ等を招いた場合に、前腕とベースとの隙間に液が溜まりながらも、前記液漏れが外部から視認しづらく、針の弛みの発見が遅れる問題があった。
【０００４】
そこで考案されたのが、特開２００２−１７２１６４号公報（特許文献２参照）に記載されている、前腕に等しい長さのほぼ平板状下敷マットと、この下敷マットに着脱自在に被せて弾支状態で装着可能な透明または半透明保護カバーとからなる抜針防止用腕保護具である。
【先行技術文献】
【特許文献】
【０００５】
【特許文献１】実開昭５４−１３３６９２号公報
【特許文献２】特開２００２−１７２１６４号公報
【考案の概要】
【考案が解決しようとする課題】
【０００６】
しかしながら、前記特開２００２−１７２１６４号公報に記載された、平板状下敷マットと透明または半透明保護カバーとからなる抜針防止用腕保護具においては、前腕に等しい長さに形成されているために注射部分が二の腕の場合には使用することが難しく、しかも注射針を刺通された状態の腕を動かすことが困難で患者にとって使用感が良好なものではないという問題点があった。
したがってこの考案は、従来において存在しなかった、注射針を刺通された状態の腕を動かすことが容易で患者にとって使用感がよく、確実に抜針の事故を防止することが可能な抜針防止用の腕保護具を提供しようとするものである。
【課題を解決するための手段】
【０００７】
そこでこの考案の抜針防止用の腕保護具は、透明または半透明なプラスチック製の弾性シートを丸め、その端辺を連結して水滴状断面の筒状とした内側保護カバーと、該内側保護カバーよりやや大きい寸法の水滴状断面の筒状とした外側保護カバーとを備え、前記内側保護カバー上に外側保護カバーを挿通して伸縮可能に連結するとともに、
前記内側保護カバーおよび外側保護カバーのそれぞれには、注射針を挿通可能な多数の小孔が所定の間隔で形成してあり、また内側に向けて凸部を形成したロックボタンの該凸部を、前記外側保護カバーの適所の小孔を経由して前記内側保護カバーのいずれかの小孔にはめ込むことにより、前記内側保護カバーと外側保護カバーを所定の長さで位置決めすることができ、
前記内側保護カバーと外側保護カバーの適所の小孔に取り付けたループ状の結束具を介して、前記注射針に連結されたチューブを挿通して保持できるようにしたことを特徴とするものである。
【０００８】
この考案の抜針防止用の腕保護具は、前記内側保護カバーと外側保護カバーが、透明または半透明なプラスチック製の弾性シートを丸めてその端辺をＶ字状に連結して水滴状断面としてあり、前記Ｖ字状の部位は弾性シートに布地を縫製することにより連結してあることをも特徴とするものである。
【０００９】
この考案の抜針防止用の腕保護具は、前記注射針に連結されたチューブを挿通して保持するために前記内側保護カバーと外側保護カバーの適所の小孔に取り付けたループ状の結束具が、弾性紐の両端に前記小孔にはめ込んで抜け止めする小孔の径よりも長い差渡し棒を取り付けてなることをも特徴とするものである。
【００１０】
前記内側保護カバーおよび外側保護カバーの素材としては、透明または半透明プラスチック、例えばポリエステル系樹脂、ポリオレフィン系樹脂、エチレン−酢酸ビニル共重合系プラスチックシート等を例示できる。
【考案の効果】
【００１１】
この考案の抜針防止用の腕保護具は、素材が軽量で弾性を有しており、また伸縮が可能であるために、透析や点滴時の患者の身体的な拘束感や、心理的な圧迫感等の負担を減らし、透析や点滴に関わる不快感を低減する。
また、透明あるいは半透明の素材でできた保護カバーは、透析や点滴時において穿刺部を外部視認でき、なにか不具合が起きた場合に外部から容易に視認できて、安全性の観点から非常に好ましい。
【００１２】
さらに、保護カバーが前腕に対して有する空間は、夏場等暑い環境下では発汗による蒸れを防止し、冬場等寒い環境下では前腕を覆って保温作用を発揮するため、保護カバーは抜針防止の機能だけでなく、前記のように透析や点滴作業に携わる者や患者双方に対して良好な透析、点滴環境を提供することができる。
【図面の簡単な説明】
【００１３】
【図１】この考案に基づく抜針防止用の腕保護具の内側及び外側保護カバーを示すものであり、（ａ）は分離状態を、（ｂ）は一部を連結した状態を、（ｃ）は約半分を連結した状態を、（ｄ）はほぼ全部を連結した状態のそれぞれ側面図である。
【図２】前記分離状態を示す斜視図である。
【図３】前記連結状態を示す斜視図である。
【図４】前記連結状態の断面図である。
【図５】保護カバーの両端に紐を連結した状態を示す斜視図である。
【図６】この考案の抜針防止用の腕保護具を透析や点滴を受ける患者に使用している状態を示す斜視図である。
【考案を実施するための形態】
【００１４】
以下、この考案の抜針防止用の腕保護具の実施の形態について図面を参照しながら詳細に説明する。
図１（ａ）〜（ｄ）および図２〜図４に示すように、この考案の抜針防止用の腕保護具１１は、透明または半透明なプラスチック製の弾性シート１２を丸め、その端辺を連結して水滴状断面の筒状とした内側保護カバー１３と、該内側保護カバー１３よりやや大きい寸法の水滴状断面の筒状とした外側保護カバー１４とを備えている。
このような内側保護カバー１３および外側保護カバー１４の素材としては、透明または半透明プラスチック、例えばポリエステル系樹脂、ポリオレフィン系樹脂、エチレン−酢酸ビニル共重合系プラスチックシート等から選ぶことができる。
【００１５】
前記内側保護カバー１３と外側保護カバー１４は、それぞれ透明または半透明なプラスチック製の弾性シート１２を上述のように丸めてその端辺をＶ字状に連結して水滴状断面とする際、前記Ｖ字状の部位において前記弾性シート１２に布地２１を被せて縫製することにより連結して筒状構造としてある。なお、布地２１にファスナを設けて開閉可能とすることは自由である。
【００１６】
そして、前記内側保護カバー１３と外側保護カバー１４を、分離した状態の図１（ａ）から前記内側保護カバー１３上に外側保護カバー１４を挿通して伸縮可能に連結する。すなわち、図１（ｂ）のように一部を連結した状態から、（ｃ）は約半分を連結した状態、また（ｄ）はほぼ全部を連結した状態のそれぞれの段階に伸縮させることができ、かつ以下に記述するように、所定位置で確実に保持することが可能である。
【００１７】
図示したように、前記内側保護カバー１３および外側保護カバー１４のそれぞれには、注射針を挿通可能な多数の小孔１５が所定の間隔で形成してある。もちろん、前記多数の小孔１５は前記内側保護カバー１３および外側保護カバー１４のそれぞれにおいて重なり合うように形成してあり、図１（ｂ）のように一部を連結した状態から、（ｃ）は約半分を連結した状態、また（ｄ）はほぼ全部を連結した状態等の各段階でそれぞれの小孔１５を重ね合わせて貫通状態とすることができる。
このように多数の小孔１５を所定の間隔で形成しておくことにより、注射針の位置を穿刺する血管の位置に合わせることが容易となる。
【００１８】
また図３および図４に示したように、内側に向けて凸部１７を形成したロックボタン１６を準備し、ロックボタン１６の該凸部１７を、前記外側保護カバー１４の適所の小孔１５にハトメやカシメ等の手段で固定し、前記内側保護カバー１３のいずれかの小孔１５にはめ込むことにより、前記内側保護カバー１３と外側保護カバー１４を所定の長さで位置決めすることができる。
もちろん、前記凸部１７の外径は、前記小孔１５の内径よりもやや大きめに形成し、各保護カバー１３，１４を構成する弾性シート１２のプラスチックの弾性を利用して確実に抜け止めできるようにすることが望ましい。
【００１９】
図５は保護カバー１３，１４の両端に紐１８を連結した状態を示すものであり、各紐１８は図６に示すように、一方は肩から首に回して腕の上部において抜針防止用の腕保護具１１を保持し、他方は腕の先において抜針防止用の腕保護具１１をベッド３１の側枠３２に連結して腕がむやみに動かないようにしている。
図５において１９は、前記内側保護カバー１３と外側保護カバー１４の適所の小孔１５に取り付けたループ状の結束具を示すものであり、該結束具１９に透析あるいは点滴用の注射針に連結されたチューブ３３を挿通して保持できるようにしたものである。
【００２０】
なお、前記注射針に連結されたチューブ３３を挿通して保持するために、前記内側保護カバー１３と外側保護カバー１４の適所の小孔１５に取り付けたループ状の結束具１９は、前記小孔１５の径よりも長い一対の差渡し棒３４と、該差渡し棒３４間を連結する弾性紐３５とで構成されている。
したがって、前記差渡し棒３４を前記小孔１５にはめ込んで抜け止めしたり、またその長さ方向端部から小孔１５を通して簡単に小孔１５から抜き取ることができるので、ループ状の結束具１９は適宜位置の一対の小孔１５を選んで簡単に取り付けかつ取り外すことができる。
【００２１】
以上のようにこの考案の抜針防止用の腕保護具１１は、素材が軽量で弾性を有しており、また伸縮が可能であるために、透析や点滴時の患者の身体的な拘束感や、心理的な圧迫感等の負担を減らし、透析や点滴に関わる不快感を低減する。
また、透明あるいは半透明の素材でできた各保護カバー１３，１４は、透析や点滴時において穿刺部を外部視認でき、なにか不具合が起きた場合に外部から容易に視認できて、安全性の観点から非常に好ましい。
【産業上の利用可能性】
【００２２】
この考案の抜針防止用の腕保護具は、透析や点滴時の患者の身体的、心理的な負担を減らし、透析に関わる不快感を低減する。したがって、透析や点滴のみならず、献血等にも利用できる。
もちろん、抜針防止用の腕保護具の保護カバー部分のみを利用して、就寝中の患者が腕をかきむしったりするのを防止する用途に使用してもよい。
【符号の説明】
【００２３】
１１  抜針防止用の腕保護具
１２  弾性シート
１３  内側保護カバー
１４  外側保護カバー
１５  小孔
１６  ロックボタン
１７  凸部
１８  紐
１９  結束具
２１  布地
３１  ベッド
３２  側枠
３３  チューブ
３４  差渡し棒
３５  弾性紐
【図１】
0003173817.tif 000003
【図２】
0003173817.tif 000004
【図３】
0003173817.tif 000005
【図４】
0003173817.tif 000006
【図５】
0003173817.tif 000007
【図６】
0003173817.tif 000008